【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
ビデオの編集及び制作方法であって、
ａ．各々がビデオが取り込まれた場所を示す場所情報及び前記ビデオの取り込みが開始された時間を示す時間情報に関連付けられた複数のビデオを受け取るステップあって、少なくとも１つのビデオが第１の時間間隔の間第１のモバイル装置によって取り込まれ、少なくとも１つのビデオが第２の時間感覚の間第２のモバイル装置によって取り込まれ、前記第１の時間間隔と第２の時間間隔とは少なくとも部分的に重複しており、前記第１のモバイル装置と第２のモバイル装置によって取り込まれたビデオに対する時間情報が同じ時間クロックで生成される、ステップと、
ｂ．前記場所情報及び時間情報に基づいて、前記受け取ったビデオをイベントに自動的にグループ化するステップと、
ｃ．前記時間情報に基づいて、前記イベントのための前記受け取ったビデオを同期させるステップと、
ｄ．前記イベントのための前記受け取ったビデオの各々を、各々のビデオセグメントが取り込まれた時間間隔に関連する所定の継続時間の複数のビデオセグメントに分割するステップと、
ｅ．前記第１のモバイル装置によって取り込まれたビデオからの第１のビデオセグメント及び前記第２のモバイル装置によって取り込まれたビデオから第２のビデオセグメントを表示するステップであって、前記第１のビデオセグメントと第２のビデオセグメントとがそれぞれ同じ時間間隔に関連している、ステップと、
を含むことを特徴とする方法。
【請求項２】
前記複数のビデオセグメントの各々は、同じ継続時間のものである、
ことを特徴とする請求項１に記載の方法。
【請求項３】
前記複数のビデオセグメントの少なくとも２つは、異なる継続時間を有する、
ことを特徴とする請求項１に記載の方法。
【請求項４】
前記第１のモバイル装置はモバイル装置であり、前記第２のモバイル装置は固定装置である、
ことを特徴とする請求項１に記載の方法。
【請求項５】
少なくとも１つのビデオは、第２のイベントにグループ化される、
ことを特徴とする請求項１に記載の方法。
【請求項６】
前記イベントは、コンサート、スポーツイベント、公開演説、結婚式又は誕生日パーティのうちの少なくとも１つに対応する、
ことを特徴とする請求項１に記載の方法。
【請求項７】
前記時間情報は、原子時計に基づく、
ことを特徴とする請求項１に記載の方法。
【請求項８】
前記原子時計は、米国海軍原子時計である、
ことを特徴とする請求項７に記載の方法。
【請求項９】
さらに制御装置は前記編集ビデオをウエブサイトに投稿することを含むことを特徴とする請求項８に記載の方法。
【請求項１０】
前記時間情報は、インターネットを介して取得されたクロックに基づく、
ことを特徴とする請求項１に記載の方法。
【請求項１１】
前記時間情報は、前記複数のビデオのうちの１つ又はそれ以上を取り込んだ装置のクロックに基づく、
ことを特徴とする請求項１に記載の方法。
【請求項１２】
前記イベントは、場所、主題、制作者、撮影者又はタグのうちの１つ又はそれ以上に基づいて生成される、
ことを特徴とする請求項１に記載の方法。
【請求項１３】
各々が異なる時間間隔に対応する複数のビデオセグメントを選択することによって編集ビデオを制作し、前記複数のビデオセグメントを編集者タイムライン上に配置するステップをさらに含む、
ことを特徴とする請求項１に記載の方法。
【請求項１４】
前記編集者タイムライン上で使用するために前記ビデオセグメントが選択された回数を求めるステップをさらに含む、
ことを特徴とする請求項１３に記載の方法。
【請求項１５】
前記ビデオセグメントに、選択された回数が最も多かった旨の指示を適用するステップをさらに含む、
ことを特徴とする請求項１４に記載の方法。
【請求項１６】
前記編集ビデオに広告を挿入することをさらに含む、ことを特徴とする請求項１３に記載の方法。
【請求項１７】
モバイル装置を用いてビデオを取り込むステップをさらに含む、
ことを特徴とする請求項１に記載の方法。
【請求項１８】
前記モバイル装置は、セルラー電話機、携帯電話機、タブレット、ラップトップ、デジタルカメラ、デジタルビデオカメラ、又はビデオカメラを有するいずれかの装置のうちの少なくとも１つである、
ことを特徴とする請求項１７に記載の方法。
【請求項１９】
前記イベントを、利用可能なイベントのリストに追加するステップをさらに含む、
ことを特徴とする請求項１に記載の方法。
【請求項２０】
前記イベントに先立って、将来的なイベントを制作するステップをさらに含む、
ことを特徴とする請求項１に記載の方法。
【請求項２１】
前記イベントに先立って、広告を配信するステップをさらに含む、
ことを特徴とする請求項２０に記載の方法。
【請求項２２】
前記将来的なイベントは、スポンサーのブランド又はイベント会場に関する情報を含むプロファイルに関連付けられる、
ことを特徴とする請求項２０に記載の方法。
【請求項２３】
ユーザが、前記将来的なイベントに関連する場所に物理的に到着する前に前記将来的なイベントに参加するステップをさらに含む、
ことを特徴とする請求項２０に記載の方法。
【請求項２４】
前記ユーザは、前記将来的なイベントのために設定されたジオフェンス内に入るまで、前記将来的なイベントのビデオをアップロードすることができない、
ことを特徴とする請求項２３に記載の方法。
【請求項２５】
プライベートイベントとして前記将来的なイベントをさらに含む、ことを特徴とする請求項２０に記載の方法。
【請求項２６】
前記プライベートイベントへのアクセス権をユーザの組に提供するステップをさらに含む、
ことを特徴とする請求項２５に記載の方法。
【請求項２７】
Ｗｉ−Ｆｉ、ＷｉＭＡＸ、最新の位置、セルラー信号、全地球測位システム信号、Ｂｌｕｅｔｏｏｔｈ信号、近距離通信、ソニックトーン、クイックレスポンスコード又はバーコードのうちの少なくとも１つを使用して前記場所情報を生成するステップをさらに含む、
ことを特徴とする請求項１に記載の方法。
【請求項２８】
複数のイベントからビデオセグメントを選択するステップと、
前記ビデオセグメントを編集者タイムライン上に配置することによって編集ビデオを制作するステップと、
をさらに含むことを特徴とする請求項１に記載の方法。
【請求項２９】
第１のイベントから第１のビデオセグメントの組を選択するステップと、
前記第１のビデオセグメントの組を第１の編集者タイムライン上に配置するステップと、
第２のイベントから第２のビデオセグメントの組を選択するステップと、
前記第２のビデオセグメントの組を第２の編集者タイムライン上に配置するステップと、
をさらに含み、
前記第１の編集者タイムライン及び第２の編集者タイムラインは、装置の同じ画面上に表示される、
ことを特徴とする請求項１に記載の方法。
【請求項３０】
複数のイベントに関連するアクティビティを閲覧するステップをさらに含み、前記アクティビティは、ビデオ又はビデオセグメントにアクセスしたユーザ数、ビデオ又はビデオセグメントのアップロード数、及びビデオ又はビデオセグメントの選択数のうちの１つ又はそれ以上を含む、
ことを特徴とする請求項１に記載の方法。
【請求項３１】
ビデオの編集及び制作方法であって、
ａ．各々がビデオが取り込まれた場所を示す場所情報及び前記ビデオの取り込みが開始された時間を示す時間情報に関連付けられた複数のビデオを受け取るステップあって、少なくとも１つのビデオが第１の時間間隔の間第１のモバイル装置によって取り込まれ、少なくとも１つのビデオが第２の時間感覚の間第２のモバイル装置によって取り込まれ、前記第１の時間間隔と第２の時間間隔とは少なくとも部分的に重複しており、前記第１のモバイル装置と第２のモバイル装置によって取り込まれたビデオに対する時間情報が同じ時間クロックで生成される、ステップと、
ｂ．前記時間情報に基づいて、前記受け取ったビデオをイベントに自動的にグループ化するステップと、
ｃ．前記時間情報に基づいて、前記イベントのための前記受け取ったビデオを同期させるステップと、
ｄ．前記イベントのための前記受け取ったビデオの各々を、各々のビデオセグメントが取り込まれた時間間隔に関連する所定の継続時間の複数のビデオセグメントに分割するステップと、
ｅ．前記第１のモバイル装置によって取り込まれたビデオからの第１のビデオセグメント及び前記第２のモバイル装置によって取り込まれたビデオから第２のビデオセグメントを表示するステップであって、前記第１のビデオセグメントと第２のビデオセグメントとがそれぞれ同じ時間間隔に関連している、ステップと、
を含むことを特徴とする方法。
【請求項３２】
ビデオの編集及び制作のためのコンピュータ実行可能命令を記憶した非一時的コンピュータアクセス可能媒体であって、コンピュータハードウェア装置が、前記命令を実行した時に、
ａ．各々がビデオが取り込まれた場所を示す場所情報及び前記ビデオの取り込みが開始された時間を示す時間情報に関連付けられた複数のビデオを受け取るステップあって、少なくとも１つのビデオが第１の時間間隔の間第１のモバイル装置によって取り込まれ、少なくとも１つのビデオが第２の時間感覚の間第２のモバイル装置によって取り込まれ、前記第１の時間間隔と第２の時間間隔とは少なくとも部分的に重複しており、前記第１のモバイル装置と第２のモバイル装置によって取り込まれたビデオに対する時間情報が同じ時間クロックで生成される、ステップと、
ｂ．前記時間情報に基づいて、前記受け取ったビデオをイベントに自動的にグループ化するステップと、
ｃ．前記時間情報に基づいて、前記イベントのための前記受け取ったビデオを同期させるステップと、
ｄ．前記イベントのための前記受け取ったビデオの各々を、各々のビデオセグメントが取り込まれた時間間隔に関連する所定の継続時間の複数のビデオセグメントに分割するステップと、
ｅ．前記第１のモバイル装置によって取り込まれたビデオからの第１のビデオセグメント及び前記第２のモバイル装置によって取り込まれたビデオから第２のビデオセグメントを表示するステップであって、前記第１のビデオセグメントと第２のビデオセグメントとがそれぞれ同じ時間間隔に関連している、ステップと、
を含む手順を実行するように構成される、
ことを特徴とする非一時的コンピュータアクセス可能媒体。
【請求項３３】
ビデオの編集及び制作のためのシステムであって、
ａ．各々がビデオが取り込まれた場所を示す場所情報及び前記ビデオの取り込みが開始された時間を示す時間情報に関連付けられた複数のビデオを受け取るように構成されており、少なくとも１つのビデオが第１の時間間隔の間第１のモバイル装置によって取り込まれ、少なくとも１つのビデオが第２の時間感覚の間第２のモバイル装置によって取り込まれ、前記第１の時間間隔と第２の時間間隔とは少なくとも部分的に重複しており、前記第１のモバイル装置と第２のモバイル装置によって取り込まれたビデオに対する時間情報が同じ時間クロックで生成されており、
ｂ．前記時間情報に基づいて、前記受け取ったビデオをイベントに自動的にグループ化し、
ｃ．前記時間情報に基づいて、前記イベントのための前記受け取ったビデオを同期させ、
ｄ．前記イベントのための前記受け取ったビデオの各々を、各々のビデオセグメントが取り込まれた時間間隔に関連する所定の継続時間の複数のビデオセグメントに分割し、
ｅ．前記第１のモバイル装置によって取り込まれたビデオからの第１のビデオセグメント及び前記第２のモバイル装置によって取り込まれたビデオから第２のビデオセグメントを表示するように構成されており、前記第１のビデオセグメントと第２のビデオセグメントとがそれぞれ同じ時間間隔に関連しているように構成されたコンピュータハードウェア構造装置を備える、
ことを特徴とするシステム。